(57)【要約】      （修正有）【課題】密封装置付き転がり軸受における外輪の外周面の変化を無くして他部材との嵌め合いを良好にする。【解決手段】外輪１１と内輪１０との間に転動体１３が転動自在に保持されるとともに、前記外輪１１の内径側端縁に設けられた環状の係止溝２０に密封装置の外周端部が嵌合して密着固定される密封装置付き転がり軸受１に於いて、前記外輪１１の外周面１１aの、外周端部から前記係止溝２０の直上部分を含む領域がテーパ状３０aまたは段状に欠落していることを特徴とする密封装置付き転がり軸受１。【選択図】図１
2010196755.tif 000002
【特許請求の範囲】
【請求項１】
外輪と内輪との間に転動体が転動自在に保持されるとともに、前記外輪の内径側端縁に設けられた環状の係止溝に密封装置の外周端部が嵌合して密着固定される密封装置付き転がり軸受に於いて、
前記外輪の外周面の、外周端部から前記係止溝の直上部分を含む領域がテーパ状または段状に欠落していることを特徴とする密封装置付き転がり軸受。
【発明の詳細な説明】
【技術分野】
【０００１】
本発明は、外輪にシールド板やシール等の密封装置を装着した密封装置付き転がり軸受に関し、より詳細には密封装置を装着したときの外輪の外周面の変形を抑える技術に関する。
【背景技術】
【０００２】
転がり軸受では、内輪と外輪との隙間を、外輪の軸方向両端部にシールド板やシール等の密封装置を装着して塞ぎ、外部から軸受内に塵埃が侵入したり、軸受内の潤滑剤が外部に流出したりすることを防止することが行われている。
【０００３】
しかしながら、密封装置を装着するには、通常は、外輪の軸方向端部の内輪側全周にわたり形成された環状の係止溝に、密封装置端部の係止爪を加締めにより固定しているため、このときの押し込み力が周方向で不均一になり易く、外輪の真円度が低下することがある。外輪の真円度が損なわれると軸受の音響・振動特性の低下を招くことから、密封装置の係合爪に切欠を設けたり（特許文献１参照）、特定の形状にする（特許文献２、３参照）等の対策が提案されている。
【先行技術文献】
【特許文献】
【０００４】
【特許文献１】特開２００３−３１４５７５号公報
【特許文献２】特開２００３−２８７０４１号公報
【特許文献３】特開２００６−２８３９０７号公報
【発明の概要】
【発明が解決しようとする課題】
【０００５】
しかしながら、上記特許文献においても密封装置の係止爪を外輪の係止溝に加締めることに変わりはなく、密封装置を外輪に装着すると、外輪の外周面の係止溝の直上部分が外側に変形（拡径）する。外輪を他部材に固定する場合、外輪の外径と他部材の内径との設定嵌め合いが決められているため、設定嵌め合いよりも緊密になるため軸受内部隙間の減少による軸受仕様の変化や、軸受組み込み性が悪化する等の問題が起こります。
【０００６】
そこで本発明は、密封装置付き転がり軸受における外輪の外周面の変化を無くして他部材との嵌め合いを良好にすることを目的とする。
【課題を解決するための手段】
【０００７】
上記目的を達成するために本発明は、外輪と内輪との間に転動体が転動自在に保持されるとともに、前記外輪の内径側端縁に設けられた環状の係止溝に密封装置の外周端部が嵌合して密着固定される密封装置付き転がり軸受に於いて、前記外輪の外周面の、外周端部から前記係止溝の直上部分を含む領域がテーパ状または段状に欠落していることを特徴とする密封装置付き転がり軸受を提供する。
【発明の効果】
【０００８】
本発明の密封装置付き転がり軸受は、外輪の外周面の外周端部から係止溝の直上部分を含む領域がテーパ状または段状に欠落しているため、密封装置を係止溝に装着する際に外輪の外周面が外側に変形しても、他部材への外輪固定に支障を来たすことがない。
【図面の簡単な説明】
【０００９】
【図１】本発明の第１実施形態を説明するための断面図である。
【図２】本発明の第２実施形態を説明するための断面図である。
【図３】本発明の第３実施形態を説明するための断面図である。
【図４】本発明の第４実施形態を説明するための断面図である。
【発明を実施するための形態】
【００１０】
以下、本発明に関して図面を参照して詳細に説明する。
【００１１】
（第１実施形態）
図１に示すように、密封装置付き転がり軸受１は、内輪１０と外輪１１との間に、保持器１２により転動体（玉）１３を転動自在に保持し、更に内輪１０と外輪１１との隙間をシールド板やシール等の密封装置１４で密封して構成されている。また、外輪１１の内径側端縁には環状の係止溝２０が形成されており、密封装置１４の一方の端部１４ａが嵌入される。ここで、外輪１１の係合溝２０及び密封装置１４の端部１４ａは、それぞれ従来と同様の構造で構わない。また、図示は省略するが、内輪１０、外輪１１、転動体１２及び密封装置１４で形成される空間には、グリースや潤滑油等の潤滑剤が充填されている。
【００１２】
以上の構成は従来の密封装置付き転がり軸受と同様であるが、本発明では更に外輪１１の外周面１１ａに、外周端部１１ｂから係止溝２０の直上部分を含む領域にかけてテーパ状の欠落部３０が形成されている。尚、欠落部３０の幅Ｌ及び深さＤは、外輪１１の幅や厚さ（外径と内径との差）に応じて適宜設定されるが、幅Ｌについては係止溝２０よりも内側まで延出している必要がある。
【００１３】
このような構成によれば、密封装置１４を係止溝２０に嵌入した際に、外輪１１の外周面１１ａの係止溝２０の直上部分が変形しても、欠落部３０のテーパ面３０ａが変形するだけである。そのため、外輪１１を他部材に固定する場合、外周面１１ａの欠落部３０を除いた平坦部を利用して設定嵌め合い通りに他部材に固定できる。
【００１４】
（第２実施形態）
図２に示すように、第１実施形態における欠落部３０を段状に形成することもできる。段の幅や段差は、同様に、外輪１１の幅や厚さに応じて適宜設定される。
【００１５】
段状の欠落部３０においても、密封装置１４を係止溝２０に嵌入した際に欠落部３０の平坦部３０ｂが変形するだけであるため、外周面１１ａの欠落部３０を除いた平坦部を利用して設定嵌め合い通りに他部材に固定できる。
【００１６】
（第３実施形態）
図３に示すように、本実施形態は、第１実施形態において密封装置１４を自動車のハブ用軸受のシールとした場合を示している。このハブ軸受のシールは、内輪側に固定される第１のスリンガ１５ａと、外輪側に固定される第２のスリンガ１５ｂとの間に、第２のスリンガ１５ｂに接合した弾性材料からなるシール１５ｃを配設したものである。本実施形態では、第２のスリンガ１５ｂを固定するための係止溝２０の直上部分を含むようにテーパ状の欠落部３０を形成する。
【００１７】
このような構成により、第１実施形態と同様に、外周面１１ａの欠落部３０を除いた平坦部を利用して設定嵌め合い通りに他部材に固定できる。
【００１８】
（第４実施形態）
図４に示すように、本実施形態は、第３実施形態において欠落部３０を第２実施形態のように段状に形成したものである。従って、第２実施形態と同様に、外周面１１ａの欠落部３０を除いた平坦部を利用して設定嵌め合い通りに他部材に固定できる。
【００１９】
以上本発明に関して実施形態を挙げて説明したが、本発明は種々の変更が可能である。例えば、密封装置を備える限りころ軸受等の他の転がり軸受への応用も可能であり、軸受の用途も自動車や工作機械、電子機器、家電製品等、特に制限はない。
【符号の説明】
【００２０】
１  密封装置付き転がり軸受１
１０  内輪
１１  外輪
１２  保持器
１３  転動体（玉）
１４  密封装置
２０  係止溝
３０  欠落部
【図１】
2010196755.tif 000003
【図２】
2010196755.tif 000004
【図３】
2010196755.tif 000005
【図４】
2010196755.tif 000006